(57)【要約】【課題】色間ブリーディングによる画質劣化を防止するとともに、ノズル内インクの硬化を防止することができる画像形成装置及び方法を提供する。【解決手段】描画インクに紫外線硬化型インクを用い、色別のインクジェットヘッド（１２Ｋ，１２Ｍ，１２Ｃ，１２Ｙ）間に、インク液滴を半硬化させる程度の比較的低エネルギーの紫外線照射を行う第１の硬化手段（予備硬化光源１６Ａ，１６Ｂ，１６Ｃ）を設ける一方、最終色のインクジェットヘッドの後段に、インク液滴を下流側工程のハンドリングによって画像劣化しない程度に硬化（本硬化）させるに十分なエネルギーの紫外線照射を行う第２の硬化手段（本硬化光源１８）を設ける。予備硬化光源１６として紫外線ＬＥＤ素子群を使用し、記録媒体幅、打滴インク領域、記録媒体反射率などに応じて発光素子数や発光量を制御する態様が好ましい。【選択図】  図１
2005280346.tif 000002
【特許請求の範囲】
【請求項１】
記録媒体の全幅に対応する長さにわたってインク吐出用の複数のノズルを配列させたノズル列を有するフルライン型のインクジェットヘッドを複数色のインクの色別に複数配置して成るインク吐出手段と、
前記色別に設けられた各インクジェットヘッドに、それぞれ対応する色の紫外線硬化型インクを供給するインク供給手段と、
前記インクジェットヘッド及び前記記録媒体のうち少なくとも一方を前記記録媒体の幅方向と略直交する方向に搬送して前記インクジェットヘッドと前記記録媒体を相対移動させる搬送手段と、
線状に配列された発光素子群から成る紫外線光源を含んで構成されるとともに、前記色別のインクジェットヘッド間に配置され、前記インクジェットヘッドに対する前記記録媒体の相対的搬送方向の上流側にあるインクジェットヘッドから吐出されたインク液滴と前記相対的搬送方向の下流側にある後続のインクジェットヘッドによって吐出されるインク液滴とが前記記録媒体表面上で混合しない程度に、前記上流側のインクジェットヘッドによる着弾インク液滴を半硬化させる紫外線を照射する第１の硬化手段と、
前記複数のインクジェットヘッドのうち最下流に配置されているヘッドの後段に配置され、前記記録媒体上のインク液滴を、硬化インク液滴がハンドリングによって画像劣化が起こらない程度に本硬化させる紫外線を照射する第２の硬化手段と、
を備えた特徴とする画像形成装置。
【請求項２】
前記記録媒体の幅、前記インクジェットヘッドによる打滴インク領域、及び前記記録媒体の反射率のうち少なくとも１つの条件に応じて前記発光素子群の発光範囲及び発光量のうち少なくとも一方を制御する光源制御手段を備えたことを特徴とする請求項１記載の画像形成装置。
【請求項３】
前記第１の硬化手段は、前記発光素子群から出射される光を前記記録媒体の相対的搬送方向と略直交する方向に沿って線状に集光するレンズを有していることを特徴とする請求項１又は２記載の画像形成装置。
【請求項４】
前記第１の硬化手段は、紫外線を含む電磁波を発生する第１の紫外線光源を含んで構成されるとともに、前記第２の硬化手段は、紫外線を含む電磁波を発生する第２の紫外線光源を含んで構成されており、
前記第１の硬化手段に用いられる第１の紫外線光源の波長領域は、前記第２の硬化手段に用いられる第２の紫外線光源の波長領域よりも狭いことを特徴とする請求項１記載の画像形成装置。
【請求項５】
前記第１の硬化手段に用いられる第１の紫外線光源による光照射量は、前記第２の硬化手段に用いられる第２の紫外線光源による光照射量よりも小さいことを特徴とする請求項１記載の画像形成装置。
【請求項６】
前記第１の硬化手段に用いられる第１の紫外線光源による光照射領域は、前記第２の硬化手段に用いられる第２の紫外線光源による光照射領域よりも小さいことを特徴とする請求項１記載の画像形成装置。
【請求項７】
記録媒体の全幅に対応する長さにわたってインク吐出用の複数のノズルを配列させたノズル列を有するフルライン型のインクジェットヘッドを複数色のインクの色別に複数配置し、これら色別の複数のインクジェットヘッドから記録媒体に向けてインクを吐出するとともに、前記インクジェットヘッド及び前記記録媒体のうち少なくとも一方を前記記録媒体の幅方向と略直交する方向に搬送して前記インクジェットヘッドと前記記録媒体を相対移動させて前記記録媒体上にカラー画像を形成する画像形成方法において、
前記インクとして紫外線硬化型インクを用い、
前記複数のインクジェットヘッドによって色ごとに順次インク吐出を行って画像を形成していく際に、インク吐出順で先行する色のインクジェットヘッドから吐出されたインク液滴と、後続のインクジェットヘッドによって吐出される他色のインク液滴とが前記記録媒体表面上で混合しない程度に、前記先行するインクジェットヘッドによる着弾インク液滴を半硬化させるべく、前記後続のインクジェットヘッドによるインク吐出前に、前記先行するインクジェットヘッドによる着弾インク液滴に対し、線状に配列された発光素子群から成る紫外線光源から紫外線を照射する第１の硬化処理を行い、
最終のインクジェットヘッドによるインク吐出後に、前記記録媒体上のインク液滴を、硬化インク液滴がハンドリングによって画像劣化が起こらない程度に本硬化させる紫外線を照射する第２の硬化処理を行うことを特徴とする画像形成方法。
【発明の詳細な説明】
【技術分野】
【０００１】
本発明は画像形成装置及び方法に係り、特に描画可能な全幅に対応する長さにわたるノズル列を有するフルライン型のインクジェットヘッドによって複数色のインクを記録媒体上に吐出してカラー画像を形成する画像形成装置及びその画像形成方法に関する。
【背景技術】
【０００２】
従来、インクジェット方式の画像形成装置において、紫外線硬化型のインク（いわゆるＵＶインク）を使用する技術が知られている（特許文献１〜６参照）。特許文献１には、光硬化インクを吐出するフルライン型の記録ユニットと、記録媒体上に吐出されたインクに硬化用のＵＶ光を照射する光照射部との間にインクを加熱するための加熱部を設け、この加熱部によってインク溶媒の蒸発を加速させ、硬化速度の促進を図る技術が開示されている。
【０００３】
特許文献２では、複数色のインクを用い、画像形成に要するインクの全てを出射した後、１０秒以内に活性光線を照射することを提案している。特許文献３は、記録媒体上にインク滴を噴射させた後、３４０〜４００ｎｍの波長の紫外線を０．１〜１０秒間照射し、その後、２８０〜４００ｎｍの波長の紫外線を１０〜１０００秒間照射することを提案している。
【０００４】
特許文献４は、インク着弾後の活性光線の照射条件を任意に可変する手段を設けることを開示している。特許文献５では、隣接する各ドットが記録媒体上で互いに干渉しないように印字データを作成し、当該印字データを基に印字（インクの吐出動作）と紫外線硬化の動作を繰り返しながら画像を形成する方法が提案されている。特許文献６は、記録ヘッドを往復移動させながら画像形成を行ういわゆるシャトルスキャン方式のインクジェット記録装置において、記録ヘッドの往復動作によりインクを複数回に分けて記録媒体上に付着させ、各付着の間に紫外線を照射する構成が開示されている。
【特許文献１】特開２００２−３４７２３２号公報
【特許文献２】特開２００３−１１３４１号公報
【特許文献３】特開２００３−１２７５１７号公報
【特許文献４】特開２００３−１９１５９４号公報
【特許文献５】特開２００３−１８２０４８号公報
【特許文献６】特開２００３−１１３４３号公報
【発明の開示】
【発明が解決しようとする課題】
【０００５】
しかしながら、特許文献１に開示された加熱部の作用は、インク溶媒の蒸発には寄与するものの、インクの硬化への寄与は小さい。したがって、特許文献１の図７に記載の如く各ヘッドの直後に加熱部を配置しても、上流のヘッドから吐出されたインクが記録媒体上で液状のまま、次の（下流の）ヘッドによって打滴が行われることになり、記録媒体表面上で液滴同士が干渉し、色間の混色による滲み（ブリーディング）が発生し、画像品質が低下する。
【０００６】
特許文献２は、画像形成に必要な全色のインク出射後に活性光線を照射する構成であるため、特許文献１と同様、色間の混色による色滲みが発生する。
【０００７】
特許文献３は、硬化光源の波長域と照射時間を２段階に分けて照射することを提案するが、ヘッドと照射光源の配置関係等が開示されおらず、実際にどのようなタイミングで光照射が行われるのか不明である。
【０００８】
特許文献４は、活性光線の照射条件として、照射時間、照射タイミング、照射強度、照射エネルギー、光源の種類、照射面積、入射角度、波長特性を変えることが述べられているが、照射光源とヘッドの位置関係を示す装置構成の開示がなく、どのような手段（装置）によってこれを実現するのか明らかではない。
【０００９】
特許文献５は、印字部と紫外線硬化部の動作を繰り返して画像を形成していくため、高速出力が困難である。また、同文献５においてもヘッドとＵＶ照射装置との配置関係を示す記載がない。
【００１０】
特許文献６は、シャトルスキャン方式による各付着インク間の紫外線照射によりインクを定着させることを述べており、定着に必要な光量を照射する必要がある。しかし、ヘッドの近くでインクの定着に必要な光量の紫外線を照射すると、記録媒体からの乱反射等によってノズル内のインクが硬化し、吐出不良を招くという問題がある。
【００１１】
本発明はこのような事情に鑑みてなされたもので、色間ブリーディングによる画質劣化を防止するとともに、ノズル内インクの硬化を防止することができる画像形成装置及び方法を提供することを目的とする。
【課題を解決するための手段】
【００１２】
前記目的を達成するために請求項１記載の発明に係る画像形成装置は、記録媒体の全幅に対応する長さにわたってインク吐出用の複数のノズルを配列させたノズル列を有するフルライン型のインクジェットヘッドを複数色のインクの色別に複数配置して成るインク吐出手段と、前記色別に設けられた各インクジェットヘッドに、それぞれ対応する色の紫外線硬化型インクを供給するインク供給手段と、前記インクジェットヘッド及び前記記録媒体のうち少なくとも一方を前記記録媒体の幅方向と略直交する方向に搬送して前記インクジェットヘッドと前記記録媒体を相対移動させる搬送手段と、線状に配列された発光素子群から成る紫外線光源を含んで構成されるとともに、前記色別のインクジェットヘッド間に配置され、前記インクジェットヘッドに対する前記記録媒体の相対的搬送方向の上流側にあるインクジェットヘッドから吐出されたインク液滴と前記相対的搬送方向の下流側にある後続のインクジェットヘッドによって吐出されるインク液滴とが前記記録媒体表面上で混合しない程度に、前記上流側のインクジェットヘッドによる着弾インク液滴を半硬化させる紫外線を照射する第１の硬化手段と、前記複数のインクジェットヘッドのうち最下流に配置されているヘッドの後段に配置され、前記記録媒体上のインク液滴を、硬化インク液滴がハンドリングによって画像劣化が起こらない程度に本硬化させる紫外線を照射する第２の硬化手段と、を備えた特徴とする。
【００１３】
本発明によれば、描画インクとして紫外線により硬化する性質を有する紫外線硬化型インクを使用し、これを硬化させる工程を２段階に分けている。すなわち、各色ヘッド間に比較的低エネルギーの紫外線照射を行う第１の硬化手段（予備硬化部）を設け、記録媒体が１色のインクジェットヘッド部を通過して次のヘッド部に入る前に、この第１の硬化手段から紫外線を照射して、次段のヘッドからの他色インク液滴との混合を起こさない程度に先行のヘッドによる着弾インク液滴を半硬化させる。
【００１４】
先行のヘッドによるインク液滴が半硬化した状態で、次のヘッドから別色のインクを打滴する工程をインク色数に応じて繰り返し、最終色のインクジェッドヘッドを通過した後に、第２の硬化手段（本硬化部）によって、本硬化に必要な比較的高エネルギーの紫外線を照射してインク液滴をハンドリングにより画像劣化が起こらない程度に硬化（本定着）させる。
【００１５】
これにより、色間ブリーディングによる画質劣化を防止することができる。また、異色ヘッド間に設けた第１の硬化手段による照射エネルギーは、他色インク液滴との干渉による混色を防止する程度にインク液滴を半硬化させるに足るエネルギーであればよく、インク液滴を本硬化させるのに要するエネルギーよりも低いエネルギー量であるため、インクジェットヘッドへの影響も少なく、ノズル近傍インクの硬化を防止できる。
【００１６】
また、本発明において「第１の硬化手段」は、線状に配列された発光素子群から成る紫外線光源を含んで構成されている。すなわち、第１の硬化手段は、インク液滴を半硬化させるに足る低い照射エネルギーであるため、発光素子には、ＬＥＤ素子、ＬＤ素子などを好適に用いることができ、低コストで実現可能である。更に、線状に配列された発光素子群は、発光素子別に選択的に発光制御が可能であるため、点灯させる発光素子数や発光光量を容易に調整できる。
【００１７】
本発明における「ハンドリング」とは、[1] 第２の硬化手段の下流側搬送工程におけるローラーや搬送ガイド等と画像面との擦れ、[2] プリント集積部におけるプリント同士の擦れ、[3] 仕上がったプリントを実際に取り扱うときに種々の物体による擦れ、などを意味し、「本硬化」とは、上記ハンドリングを行っても画像劣化しない程度に硬化液滴が硬化しているレベルを意味する。したがって、「本硬化」とは必ずしも硬化反応が完了していることを意味するものではない。
【００１８】
なお、現在確認されている紫外線硬化型インク（ＵＶインク）は、硬化反応の途中で光照射を止めてそのまま外部からエネルギーを与えないで放置すると硬化反応はその後、殆ど進行しない。再度、外部からエネルギーを加えない限り、硬化反応は再開しない。
【００１９】
一方、紫外線エネルギーを与え続けても重合せずにモノマーが残ってしまう場合もある。これは、紫外光が全インクに内部まで浸透しないことが原因であるが、電子線を照射すれば、残留モノマーは消滅すると考えられる。
【００２０】
「フルライン型のインクジェットヘッド」は、通常、記録媒体の相対的な送り方向（相対的搬送方向）と直交する方向に沿って配置されるが、搬送方向と直交する方向に対して、ある所定の角度を持たせた斜め方向に沿ってインクジェットを配置する態様もあり得る。更には、記録媒体の全幅に対応する長さに満たないノズル列を有する短尺の記録ヘッドユニットを複数個組み合わせることによって、これらユニット全体として記録媒体の全幅に対応するノズル列を構成する形態もあり得る。
【００２１】
「記録媒体」は、インクジェットヘッドの作用によって画像の記録を受ける媒体（印字媒体、被画像形成媒体、被記録媒体、受像媒体など呼ばれ得るもの）であり、連続用紙、カット紙、シール用紙、ＯＨＰシート等の樹脂シート、フイルム、布、インクジェットヘッドによって配線パターン等が形成されるプリント基板、その他材質や形状を問わず、様々な媒体を含む。
【００２２】
記録媒体とインクジェットヘッドを相対的に移動させる搬送手段は、停止した（固定された）インクジェットヘッドに対して記録媒体を搬送する態様、停止した記録媒体に対してインクジェットヘッドを移動させる態様（この場合、第１及び第２の硬化手段はインクジェットヘッドと等速で移動する）、或いは、インクジェットヘッドと記録媒体の両方を移動させる態様の何れをも含む。
【００２３】
請求項２記載の発明は、請求項１記載の画像形成装置に係り、前記記録媒体の幅、前記インクジェットヘッドによる打滴インク領域、及び前記記録媒体の反射率のうち少なくとも１つの条件に応じて前記発光素子群の発光範囲及び発光量のうち少なくとも一方を制御する光源制御手段を備えたことを特徴とする。
【００２４】
記録媒体の幅や反射率など、記録媒体の特性を把握する手段は、実際に記録媒体の幅や反射率を測定する手段（検出手段）に限らず、使用される記録媒体の種類を供給マガジンのＩＤ等で自動判別するなどして、種類毎に整理されたデータテーブル等を参照して各記録媒体の特性を把握する構成でもよい。また、使用する記録媒体のサイズや紙種等をユーザが所定の入力装置等を操作して入力する構成も可能である。インクジェットヘッドによって打滴されるインクの領域については、プリント対象たる画像データに基づいて把握することができる。
【００２５】
これらプリントに関する条件に基づいて、必要最小限の発光を行うように制御することで、ノズルへの影響を一層低減させることができ、ノズル近傍インクの硬化防止の効果を一層高めることができる。
【００２６】
請求項３記載の発明は、請求項１又は２記載の画像形成装置に係り、前記第１の硬化手段は、前記発光素子群から出射される光を前記記録媒体の相対的搬送方向と略直交する方向に沿って線状に集光するレンズを有していることを特徴とする。
【００２７】
かかる線状の集光作用を持つシリンドリカルレンズ或いは光屈折形状の非球面レンズを好適に用いることができる。半硬化用の照射光を記録媒体の相対的搬送方向と略直交する方向のライン上に集光することで、照射範囲を制限し、効率的に照射エネルギーを付与することができるとともに、インクジェットヘッドへの迷光反射を防止できる。
【００２８】
請求項４記載の発明は、請求項１記載の画像形成装置に係り、前記第１の硬化手段は、紫外線を含む電磁波を発生する第１の紫外線光源を含んで構成されるとともに、前記第２の硬化手段は、紫外線を含む電磁波を発生する第２の紫外線光源を含んで構成されており、前記第１の硬化手段に用いられる第１の紫外線光源の波長領域は、前記第２の硬化手段に用いられる第２の紫外線光源の波長領域よりも狭いことを特徴とする。
【００２９】
インク液滴を本硬化させずに半硬化させる第１の硬化手段には、本硬化させるための第２の硬化手段よりも狭帯域の光源を使用することができる。
【００３０】
請求項５記載の発明は、請求項１記載の画像形成装置に係り、前記第１の硬化手段に用いられる第１の紫外線光源による光照射量は、前記第２の硬化手段に用いられる第２の紫外線光源による光照射量よりも小さいことを特徴とする。
【００３１】
第１の硬化手段は、本硬化に必要なエネルギーに満たない低エネルギーの照射を行うため、第２の硬化手段よりも低輻射線量の光源を用いることができる。
【００３２】
請求項６記載の発明は、請求項１記載の画像形成装置に係り、前記第１の硬化手段に用いられる第１の紫外線光源による光照射領域は、前記第２の硬化手段に用いられる第２の紫外線光源による光照射領域よりも小さいことを特徴とする。
【００３３】
第１の硬化手段は、インクジェットヘッドへの不要光反射抑止のために、記録媒体上への照射領域をできるだけ狭く設定する構成が好ましい。
【００３４】
請求項７記載の発明は前記目的を達成する方法発明を提供する。すなわち、請求項７に係る画像形成方法は、記録媒体の全幅に対応する長さにわたってインク吐出用の複数のノズルを配列させたノズル列を有するフルライン型のインクジェットヘッドを複数色のインクの色別に複数配置し、これら色別の複数のインクジェットヘッドから記録媒体に向けてインクを吐出するとともに、前記インクジェットヘッド及び前記記録媒体のうち少なくとも一方を前記記録媒体の幅方向と略直交する方向に搬送して前記インクジェットヘッドと前記記録媒体を相対移動させて前記記録媒体上にカラー画像を形成する画像形成方法において、前記インクとして紫外線硬化型インクを用い、前記複数のインクジェットヘッドによって色ごとに順次インク吐出を行って画像を形成していく際に、インク吐出順で先行する色のインクジェットヘッドから吐出されたインク液滴と、後続のインクジェットヘッドによって吐出される他色のインク液滴とが前記記録媒体表面上で混合しない程度に、前記先行するインクジェットヘッドによる着弾インク液滴を半硬化させるべく、前記後続のインクジェットヘッドによるインク吐出前に、前記先行するインクジェットヘッドによる着弾インク液滴に対し、線状に配列された発光素子群から成る紫外線光源から紫外線を照射する第１の硬化処理を行い、最終のインクジェットヘッドによるインク吐出後に、前記記録媒体上のインク液滴を、硬化インク液滴がハンドリングによって画像劣化が起こらない程度に本硬化させる紫外線を照射する第２の硬化処理を行うことを特徴とする。
【発明の効果】
【００３５】
本発明によれば、描画インクに紫外線硬化型インクを用い、色別のインクジェットヘッド間に、インクを半硬化させる程度の比較的低エネルギーの紫外線照射を行う第１の硬化手段を設ける一方、最終色のインクジェットヘッドの後段に、インクを本硬化させるに十分なエネルギーの紫外線照射を行う第２の硬化手段を設けたので、色間ブリーディングによる画質劣化を防止できるとともに、ノズル近傍インクの硬化を防止できる。
【発明を実施するための最良の形態】
【００３６】
以下添付図面に従って本発明の好ましい実施の形態について詳説する。
【００３７】
〔インクジェット記録装置の全体構成〕
図１は本発明の実施形態に係る画像形成装置の全体構成図である。同図に示したように、この画像形成装置１０は、各インク色に対応して設けられた複数のインクジェットヘッド（以下、ヘッドという。）１２Ｋ，１２Ｍ，１２Ｃ，１２Ｙと、各ヘッド１２Ｋ，１２Ｍ，１２Ｃ，１２Ｙに供給する紫外線硬化型インク（いわゆるＵＶインク）を貯蔵しておくインク貯蔵／装填部１４と、各ヘッド間に配置された予備硬化光源１６Ａ，１６Ｂ，１６Ｃと、最終色のヘッド１２Ｙの後段に配置された本硬化光源１８と、記録媒体たる記録紙２０を供給する給紙部２２と、記録紙２０のカールを除去するデカール処理部２４と、各ヘッド１２のノズル面（インク吐出面）及び各光源（１６Ａ〜Ｃ，１８）の光出射面に対向して配置され、記録紙２０の平面性を保持しながら記録紙２０を搬送する吸着ベルト搬送部２６と、記録済みの記録紙（プリント物）を外部に排紙する排紙部２８と、を備えている。
【００３８】
紫外線硬化型インクは、紫外線エネルギーの付与によって硬化（重合化）する成分（モノマー、オリゴマー、又は低分子量ホモポリマー、コポリマーなどの紫外線硬化性成分）と重合開始剤とを含むインクであり、紫外線を受光すると重合を開始し、重合の進行とともに増粘し、やがて硬化する性質を有する。
【００３９】
インク貯蔵／装填部１４は、各ヘッド１２Ｋ，１２Ｍ，１２Ｃ，１２Ｙに対応する色のインクを貯蔵するインクタンク１４Ｋ，１４Ｍ，１４Ｃ，１４Ｙを有し、各タンクは所要の管路３０を介してヘッド１２Ｋ，１２Ｍ，１２Ｃ，１２Ｙと連通されている。また、インク貯蔵／装填部１４は、インク残量が少なくなるとその旨を報知する報知手段（表示手段、警告音発生手段）を備えるとともに、色間の誤装填を防止するための機構を有している。
【００４０】
図１において、給紙部２２の一例としてロール紙（連続用紙）のマガジン３２が示されているが、紙幅や紙質等が異なる複数のマガジンを併設してもよい。また、ロール紙のマガジンに代えて、又はこれと併用して、カット紙が積層装填されたカセットによって用紙を供給してもよい。
【００４１】
複数種類の記録紙を利用可能な構成にした場合、紙の種類情報を記録したバーコード或いは無線タグなどの情報記録体をマガジンに取り付け、その情報記録体の情報を所定の読取装置によって読み取ることで、使用される用紙の種類を自動的に判別し、用紙の種類に応じて適切なインク吐出を実現するようにインク吐出制御を行うことが好ましい。
【００４２】
給紙部２２から送り出される記録紙２０はマガジン３２に装填されていたことによる巻きクセが残り、カールする。このカールを除去するために、デカール処理部２４においてマガジン３２の巻きクセ方向と逆方向に加熱ドラム３４で記録紙２０に熱を与える。このとき、多少印字面が外側に弱いカールとなるように加熱温度を制御するとより好ましい。
【００４３】
ロール紙を使用する装置構成の場合、図１のように、裁断用のカッター３８が設けられており、該カッター３８によってロール紙は所望のサイズにカットされる。カッター３８は、記録紙２０の搬送路幅以上の長さを有する固定刃３８Ａと、該固定刃３８Ａに沿って移動する丸刃３８Ｂとから構成されており、印字裏面側に固定刃３８Ａが設けられ、搬送路を挟んで印字面側に丸刃３８Ｂが配置される。なお、カット紙を使用する場合には、カッター３８は不要である。
【００４４】
デカール処理後、カットされた記録紙２０は、吸着ベルト搬送部２６へと送られる。吸着ベルト搬送部２６は、ローラ４１，４２間に無端状のベルト４３が巻き掛けられた構造を有し、少なくとも各ヘッド１２Ｋ，１２Ｍ，１２Ｃ，１２Ｙのノズル面に対向する部分が水平面（フラット面）をなすように構成されている。
【００４５】
ベルト４３は、記録紙２０の幅よりも広い幅寸法を有しており、ベルト面には多数の吸引穴（不図示）が形成されている。ローラ４１，４２間に掛け渡されたベルト４３の内側には、不図示の吸着チャンバが設けられており、この吸着チャンバをファンで吸引して負圧にすることによって記録紙２０がベルト４３上に吸着保持される。
【００４６】
ベルト４３が巻かれているローラ４１，４２の少なくとも一方にモータ（図１中不図示，図１４中符号１３４として記載）の動力が伝達されることにより、ベルト４３は図１上で反時計回り方向に駆動され、ベルト４３上に保持された記録紙２０は図１の右から左へと搬送される。
【００４７】
各ヘッド１２Ｋ，１２Ｍ，１２Ｃ，１２Ｙは、当該画像形成装置１０が対象とする記録紙２０の最大紙幅に対応する長さを有し、そのノズル面には最大サイズの記録紙２０の少なくとも一辺を超える長さ（描画可能範囲の全幅）にわたりインク吐出用のノズルが複数配列されたフルライン型のヘッドとなっている。
【００４８】
ヘッド１２Ｋ，１２Ｍ，１２Ｃ，１２Ｙは、記録紙２０の送り方向に沿って上流側から黒（Ｋ）、マゼンタ（Ｍ）、シアン（Ｃ）、イエロー（Ｙ）の色順に配置され、それぞれのヘッド１２Ｋ，１２Ｍ，１２Ｃ，１２Ｙが記録紙２０の搬送方向と略直交する方向に沿って延在するように固定設置される。
【００４９】
吸着ベルト搬送部２６により記録紙２０を搬送しつつ各ヘッド１２Ｋ，１２Ｍ，１２Ｃ，１２Ｙからそれぞれ異色のインクを吐出することにより記録紙２０上にカラー画像を形成し得る。
【００５０】
このように、紙幅の全域をカバーするノズル列を有するフルライン型のヘッド１２Ｋ，１２Ｍ，１２Ｃ，１２Ｙを色別に設ける構成によれば、紙送り方向（副走査方向）について記録紙２０をヘッド１２Ｋ，１２Ｍ，１２Ｃ，１２Ｙに対して相対移動させる動作を一回行うだけで（すなわち１回の副走査で）、記録紙２０の全面に画像を記録することができる。このようなシングルパス方式の画像形成装置は、記録ヘッドを主走査方向に往復動作させながら描画を行うシャトルスキャン方式に比べて高速印字が可能であり、プリント生産性を向上させることができる。
【００５１】
本例では、ＫＣＭＹの標準色（４色）の構成を例示したが、インク色や色数の組み合わせは本実施形態に限定されず、必要に応じて淡インク、濃インクを追加してもよい。例えば、ライトシアン、ライトマゼンタなどのライト系インクを吐出するインクジェットヘッドを追加する構成も可能である。また、各色ヘッドの配置順序も特に限定はない。
【００５２】
ヘッド間に配置されている予備硬化光源１６Ａ，１６Ｂ，１６Ｃは、ヘッドと同様に記録紙２０の最大紙幅に対応する長さを有し、記録紙２０の搬送方向と略直交する方向に延在するように固定されている。各予備硬化光源１６Ａ，１６Ｂ，１６Ｃは、隣接配置されている上流側のヘッド１２Ｋ，１２Ｍ又は１２Ｃによる着弾インク液滴を半硬化状態（完全に硬化していない状態、半固溶状態）にする程度のエネルギーの紫外線を照射する。
【００５３】
すなわち、予備硬化光源１６は、先行するヘッド１２Ｋ，１２Ｍ又は１２Ｃによって記録紙２０上に打滴されたインク液滴と後続のヘッド１２Ｍ，１２Ｃ又は１２Ｙから吐出される他色インク液滴とが記録媒体表面上で混合して色滲みを起こすことがないように、その混合を防止し得る程度に記録紙２０上のインク液滴を半硬化させる機能を果たす。
【００５４】
記録紙２０が上流のヘッド部を通過して、次のヘッド下に入る前に、予備硬化光源１６から光を照射して、記録紙２０上のインク液滴を半硬化状態にし、次段の異色ヘッドによる打滴を行うようになっている。
【００５５】
図１の例では、黒ヘッド１２Ｋによる打滴後に、予備硬化光源１６Ａによる光照射を経て黒インク液滴を半硬化させてから、マゼンタヘッド１２Ｍによる打滴を行う。同様に、マゼンタヘッド１２Ｍによる打滴後は、予備硬化光源１６Ｂによる光照射を経てシアンヘッド１２Ｃによる打滴を行い、その後予備硬化光源１６Ｃによる光照射を経てイエローヘッド１２Ｙによる打滴が行われる。
【００５６】
最終色のイエローヘッド１２Ｙによる打滴後は、半硬化のための光照射は不要であるため、予備硬化光源は省略されている。
【００５７】
イエローヘッド１２Ｙ通過後は、本硬化光源１８によって、記録紙２０上のインク液滴を、その後の（下流側工程の）ハンドリングによって画像劣化が起こらない程度に硬化（本硬化）させるに足る光照射が行われ、本定着が行われる。
【００５８】
本硬化光源１８の後段には、加圧定着ローラ４６が設けられている。加圧定着ローラ４６は、画像表面の光沢度及び平坦度を制御するための手段であり、画像面を所定の圧力で加圧する。
【００５９】
こうして生成されたプリント物は排紙部２８から排出される。なお、図１には示さないが、排紙部２８には、オーダー別に画像を集積するソーターが設けられる。
【００６０】
〔ヘッドの構造〕
次に、ヘッドの構造について説明する。インク色ごとに設けられている各ヘッド１２Ｋ，１２Ｍ，１２Ｃ，１２Ｙの構造は共通しているので、以下、これらを代表して符号５０によってヘッドを示すものとする。
【００６１】
図２(a) はヘッド５０の構造例を示す平面透視図であり、図２(b) はその一部の拡大図である。また、図３はヘッド５０の他の構造例を示す平面透視図、図４は１つの液滴吐出素子（１つのノズル５１に対応したインク室ユニット）の立体的構成を示す断面図（図２中の４−４線に沿う断面図）である。
【００６２】
記録紙２０上に印字されるドットピッチを高密度化するためには、ヘッド５０におけるノズルピッチを高密度化する必要がある。本例のヘッド５０は、図２(a),(b) に示したように、インク滴の吐出口であるノズル５１と、各ノズル５１に対応する圧力室５２等からなる複数のインク室ユニット（液滴吐出素子）５３を千鳥でマトリクス状に（２次元的に）配置させた構造を有し、これにより、ヘッド長手方向（紙送り方向と直交する方向）に沿って並ぶように投影される実質的なノズル間隔（投影ノズルピッチ）の高密度化を達成している。
【００６３】
記録紙２０の送り方向と略直交する方向に記録紙２０の全幅に対応する長さにわたり１列以上のノズル列を構成する形態は本例に限定されない。例えば、図２(a) の構成に代えて、図３に示すように、複数のノズル５１が２次元に配列された短尺のヘッドユニット５０’を千鳥状に配列して繋ぎ合わせることで記録紙２０の全幅に対応する長さのノズル列を有するラインヘッドを構成してもよい。
【００６４】
各ノズル５１に対応して設けられている圧力室５２は、その平面形状が概略正方形となっており（図２(a),(b) 参照）、対角線上の両隅部にノズル５１への流出口と供給インクの流入口（供給口）５４が設けられている。なお、圧力室５２の形状は、本例に限定されず、平面形状が四角形（菱形、長方形など）、五角形、六角形その他の多角形、円形、楕円形など、多様な形態があり得る。
【００６５】
図４に示したように、各圧力室５２は供給口５４を介して共通流路５５と連通されている。共通流路５５はインク供給源たるインクタンク（図４中不図示、図６中符号６０として記載）と連通しており、インクタンク６０から供給されるインクは図４の共通流路５５を介して各圧力室５２に分配供給される。
【００６６】
圧力室５２の一部（図４において天面）を構成している加圧板（振動板）５６には個別電極５７を備えたアクチュエータ５８が接合されている。個別電極５７に駆動電圧を印加することによってアクチュエータ５８が変形して圧力室５２の容積が変化し、これに伴う圧力変化によりノズル５１からインクが吐出される。なお、アクチュエータ５８には、ピエゾ素子などの圧電体が好適に用いられる。インク吐出後、共通流路５５から供給口５４を通って新しいインクが圧力室５２に供給される。
【００６７】
かかる構造を有する多数のインク室ユニット５３を図５に示す如く、主走査方向に沿う行方向及び主走査方向に対して直交しない一定の角度θを有する斜めの列方向とに沿って一定の配列パターンで格子状に配列させた構造になっている。主走査方向に対してある角度θの方向に沿ってインク室ユニット５３を一定のピッチｄで複数配列する構造により、主走査方向に並ぶように投影されたノズルのピッチＰはｄ× cosθとなる。
【００６８】
すなわち、主走査方向については、各ノズル５１が一定のピッチＰで直線状に配列されたものと等価的に取り扱うことができる。このような構成により、主走査方向に並ぶよう
に投影されるノズル列が１インチ当たり2400個（2400ノズル／インチ）におよぶ高密度のノズル構成を実現することが可能になる。
【００６９】
なお、印字可能幅の全幅に対応した長さのノズル列を有するフルラインヘッドで、ノズルを駆動する時には、（１）全ノズルを同時に駆動する、（２）ノズルを片方から他方に向かって順次駆動する、（３）ノズルをブロックに分割して、ブロックごとに片方から他方に向かって順次駆動する等が行われ、用紙の幅方向（用紙の搬送方向と直交する方向）に１ライン（１列のドットによるライン又は複数列のドットから成るライン）を印字するようなノズルの駆動を主走査と定義する。
【００７０】
特に、図５に示すようなマトリクス状に配置されたノズル５１を駆動する場合は、上記（３）のような主走査が好ましい。すなわち、ノズル５１-11 、５１-12 、５１-13 、５１-14 、５１-15 、５１-16 を１つのブロックとし（他にはノズル５１-21 、…、５１-26 を１つのブロック、ノズル５１-31 、…、５１-36 を１つのブロック、…として）、記録紙２０の搬送速度に応じてノズル５１-11 、５１-12 、…、５１-16 を順次駆動することで記録紙２０の幅方向に１ラインを印字する。
【００７１】
一方、上述したフルラインヘッドと用紙とを相対移動することによって、上述した主走査で形成された１ライン（１列のドットによるライン又は複数列のドットから成るライン）の印字を繰り返し行うことを副走査と定義する。
【００７２】
そして、上述の主走査によって記録される１ライン（或いは帯状領域の長手方向）の示す方向を主走査方向といい、上述の副走査を行う方向を副走査方向という。すなわち、本実施形態では、記録紙２０の搬送方向が副走査方向であり、それに直交する方向が主走査方向ということになる。
【００７３】
本発明の実施に際してノズルの配置構造は図示の例に限定されない。また、本実施形態では、ピエゾ素子（圧電素子）に代表されるアクチュエータ５８の変形によってインク滴を飛ばす方式が採用されているが、本発明の実施に際して、インクを吐出させる方式は特に限定されず、ピエゾジェット方式に代えて、ヒータなどの発熱体によってインクを加熱して気泡を発生させ、その圧力でインク滴を飛ばすサーマルジェット方式など、各種方式を適用できる。
【００７４】
〔インク供給系の構成〕
図６は画像形成装置１０におけるインク供給系の構成を示した概要図である。インクタンク６０はヘッド５０にインクを供給する基タンクであり、図１で説明したインク貯蔵／装填部１４に設置される。インクタンク６０の形態には、インク残量が少なくなった場合に、不図示の補充口からインクを補充する方式と、タンクごと交換するカートリッジ方式とがある。使用用途に応じてインク種類を変える場合には、カートリッジ方式が適している。この場合、インクの種類情報をバーコード等で識別して、インク種類に応じた吐出制御を行うことが好ましい。なお、図６のインクタンク６０は、先に記載した図１のインク貯蔵／装填部１４と等価のものである。
【００７５】
図６に示したように、インクタンク６０とヘッド５０の中間には、異物や気泡を除去するためにフィルタ６２が設けられている。フィルタ・メッシュサイズは、ノズル径と同等若しくはノズル径以下（一般的には、２０μｍ程度）とすることが好ましい。図６には示さないが、ヘッド５０の近傍又はヘッド５０と一体にサブタンクを設ける構成も好ましい。サブタンクは、ヘッドの内圧変動を防止するダンパー効果及びリフィルを改善する機能を有する。
【００７６】
また、画像形成装置１０には、ノズル５１の乾燥防止又はノズル近傍のインク粘度上昇を防止するための手段としてのキャップ６４と、ノズル面５０Ａの清掃手段としてのクリーニングブレード６６とが設けられている。これらキャップ６４及びクリーニングブレード６６を含むメンテナンスユニットは、不図示の移動機構によってヘッド５０に対して相対移動可能であり、必要に応じて所定の退避位置からヘッド５０下方のメンテナンス位置に移動される。
【００７７】
キャップ６４は、図示せぬ昇降機構によってヘッド５０に対して相対的に昇降変位される。電源ＯＦＦ時や印刷待機時にキャップ６４を所定の上昇位置まで上昇させ、ヘッド５０に密着させることにより、ノズル面５０Ａをキャップ６４で覆う。
【００７８】
クリーニングブレード６６は、ゴムなどの弾性部材で構成されており、図示せぬブレード移動機構によりヘッド５０のインク吐出面（ノズル板表面）に摺動可能である。ノズル板にインク液滴又は異物が付着した場合、クリーニングブレード６６をノズル板に摺動させることでノズル板表面を拭き取り、ノズル板表面を清浄する。
【００７９】
印字中又は待機中において、特定のノズルの使用頻度が低くなり、ノズル近傍のインク粘度が上昇した場合、その劣化インクを排出すべくキャップ６４に向かって予備吐出が行われる。
【００８０】
また、ヘッド５０内のインク（圧力室内）に気泡が混入した場合、ヘッド５０にキャップ６４を当て、吸引ポンプ６７で圧力室内のインク（気泡が混入したインク）を吸引により除去し、吸引除去したインクを回収タンク６８へ送液する。この吸引動作は、初期のインクのヘッド５０への装填時、或いは長時間の停止後の使用開始時にも粘度上昇（固化）した劣化インクの吸い出しが行われる。
【００８１】
ヘッド５０は、ある時間以上吐出しない状態が続くと、ノズル近傍のインク溶媒が蒸発してノズル近傍のインクの粘度が高くなってしまい、吐出駆動用のアクチュエータ５８が動作してもノズル５１からインクが吐出しなくなる。したがって、この様な状態になる手前で（アクチュエータ５８の動作によってインク吐出が可能な粘度の範囲内で）、インク受けに向かってアクチュエータ５８を動作させ、粘度が上昇したノズル近傍のインクを吐出させる「予備吐出」が行われる。また、ノズル面５０Ａの清掃手段として設けられているクリーニングブレード６６等のワイパーによってノズル板表面の汚れを清掃した後に、このワイパー摺擦動作によってノズル５１内に異物が混入するのを防止するためにも予備吐出が行われる。なお、予備吐出は、「空吐出」、「パージ」、「唾吐き」などと呼ばれる場合もある。
【００８２】
また、ノズル５１や圧力室５２に気泡が混入したり、ノズル５１内のインクの粘度上昇があるレベルを超えたりすると、上記予備吐出ではインクを吐出できなくなるため、以下に述べる吸引動作を行う。
【００８３】
すなわち、ノズル５１や圧力室５２のインク内に気泡が混入した場合、或いはノズル５１内のインク粘度があるレベル以上に上昇した場合には、アクチュエータ５８を動作させてもノズル５１からインクを吐出できなくなる。このような場合、ヘッド５０のノズル面に、圧力室５２内のインクをポンプ等で吸い込む吸引手段を当接させて、気泡が混入したインク又は増粘インクを吸引する動作が行われる。
【００８４】
ただし、上記の吸引動作は、圧力室５２内のインク全体に対して行われるためインク消費量が大きい。したがって、粘度上昇が少ない場合はなるべく予備吐出を行うことが好ましい。
【００８５】
〔予備硬化部の構成例〕
ここで予備硬化光源部の構造例について説明する。図７は予備硬化部の構造例を示した模式図である。図７中図１と共通する部分には同一の符号を付してある。図７に示したように、予備硬化光源１６Ａ，１６Ｂ，１６Ｃは、遮光囲い７０の中に線状の紫外線ＬＥＤ素子７２とレンズ系７４とが配置された構造を有し、遮光囲い７０の底面に形成されているスリット状の開口部７６を介してベルト４３上の記録紙２０に線状集光された紫外線が照射される。なお、符号７８は、紫外線ＬＥＤ素子７２が支持されている基板である。
【００８６】
イエローヘッド１２Ｙ後段の本硬化光源１８には、水銀ランプ又はメタルハライドランプなどが好適に用いられる。本硬化光源１８は、紫外線ＬＥＤ素子７２よりも、広い波長領域を有し、かつ、光量も大きい。また、イエローヘッド１２Ｙと本硬化光源１８の間には、本硬化光源１８からの照射光がイエローヘッド１２Ｙに入らないようにするための遮光仕切り部材８０が配設されている。
【００８７】
予備硬化光源１６Ａ，１６Ｂ，１６Ｃ（以下、説明の便宜上これら各光源をまとめて符号１６で表す。）による硬化処理は、記録媒体表面上での他色インク液滴同士の干渉による混色を防止する程度でインク中に未硬化部分が残る半固溶状態（粘度上昇状態）でよい。そのため、予備硬化光源１６と、本硬化光源１８とでは、それぞれ別種の光源を用い、予備硬化光源１６と本硬化光源１８の関係が以下の条件の少なくとも１つを満たすように構成する態様が好ましい。
（条件１）：予備硬化光源１６の波長域＜本硬化光源１８の波長域
（条件２）：予備硬化光源１６の照射量＜本硬化光源１８の照射量
（条件３）：予備硬化光源１６による光源域の照射領域＜本硬化光源１８による光源域の照射領域
ただし、予備硬化光源１６や本硬化光源１８の中心波長や波長域は使用されるインクの設計に応じて選択される。
【００８８】
図８は予備硬化光源１６の詳細な構造例を示した部分断面図であり、図９は図８中の９Ａ矢視断面図である。これらの図面に示したとおり、遮光囲い７０の内側に配置された基板７８には、ヘッド５０の長手方向に沿って複数の紫外線ＬＥＤ素子７２がライン状に並べられて配置されている。これら紫外線ＬＥＤ素子７２列の下方には集光用のシリンドリカルレンズ８４が設けられている。
【００８９】
遮光囲い７０の底部には、光出射口となるスリット状の開口部７６が形成されるとともに、該開口部７６の周囲には光出射方向に凸の遮光くちばし８６が設けられている。また、記録紙２０と対向する遮光囲い７０の底面には、紫外線吸収コーディング８８が施されている。
【００９０】
紫外線ＬＥＤ素子７２群から発せられる発散光は、シリンドリカルレンズ８４の作用によって紙送り方向に略直交する方向に沿って線状に集光され、記録紙２０上に照射される。シリンドリカルレンズ８４に代えて、これと同様の集光パワーをもつ、光屈折面形状の非球面を１面以上有するレンズ群を用いることも可能である。
【００９１】
図１０には、図８及び図９に示した構造の予備硬化光源１６によって記録紙２０上に照射される紫外線の照射エリアの例が示されている。
【００９２】
図１０において、記録紙２０は右から左へ白矢印方向に沿って搬送され、ヘッド５０によってインクが吐出される。こうして記録紙２０上に順次インクが着弾し、主走査方向のドットライン９０が形成されていく。ヘッド５０の下流側にある予備硬化光源１６から照射される紫外線の照射エリア９２は図示のように、副走査方向については狭幅ｗ（好ましくは、数ドットライン以内）を成し、主走査方向のドットライン９０に沿って略平行な線状となっている。
【００９３】
図８及び図９で説明した紫外線ＬＥＤ素子７２群を選択的に発光させたり、各素子の発光量を制御することより、紫外線の照射エリア９２について所望の照射範囲及び光量（強度）分布を実現することができる。
【００９４】
図１１は予備硬化光源１６から出射される紫外線の照射エリアの光量分布例を示した拡大図である。同図中符号９２Ａは、弱光量エリア、符号９２Ｂは強光量エリアを示し、符号９２Ｃは色なしエリア（直前のヘッドによって打滴が行われていないエリア）を示す。色なしエリア９２Ｃについては、記録紙２０上に着弾インク液滴が存在しないため、予備硬化させるための紫外線照射が不要なエリアである。
【００９５】
記録紙２０のサイズやヘッド５０による打滴範囲及びインク量に応じて紫外線ＬＥＤ素子７２の発光位置及び発光量を適切に制御して必要最小限の発光を行うことにより、ヘッド５０への悪影響を極力抑えることが望ましい。
【００９６】
なお、予備硬化光源１６の構成は、図８及び図９のような砲弾型の紫外線ＬＥＤ素子７２を用いる構成に限定されず、図１２のように、基板９４上にＬＥＤ素子９５を一次元的に並べたものであってもよい。また、ＬＥＤに代えて、ＬＤ（レーザダイオード）を用いる構成も可能である。例えば、図８及び図９のような砲弾型の紫外線ＬＥＤ素子７２列とシリンドリカルレンズ８４とから成る光源部に代えて、図１３のように、ＬＤ素子９７と、集光レンズ９８及びシリンドリカルレンズ９９で構成する光源部に置き換えることができる。
【００９７】
〔制御系の説明〕
次に、画像形成装置１０の制御系について説明する。
【００９８】
図１４は画像形成装置１０のシステム構成を示す要部ブロック図である。画像形成装置１０は、通信インターフェース１１０、システムコントローラ１１２、画像メモリ１１４、モータドライバ１１６、ヒータドライバ１１８、プリント制御部１２０、画像バッファメモリ１２２、ヘッドドライバ１２４、メディア検出部１２６、光源制御部１２８等を備えている。
【００９９】
通信インターフェース１１０は、ホストコンピュータ１３０から送られてくる画像データを受信するインターフェース部である。通信インターフェース１１０にはＵＳＢ、ＩＥＥＥ１３９４、イーサネット、無線ネットワークなどのシリアルインターフェースやセントロニクスなどのパラレルインターフェースを適用することができる。この部分には、通信を高速化するためのバッファメモリ（不図示）を搭載してもよい。ホストコンピュータ１３０から送出された画像データは通信インターフェース１１０を介して画像形成装置１０に取り込まれ、一旦画像メモリ１１４に記憶される。画像メモリ１１４は、通信インターフェース１１０を介して入力された画像を一旦格納する記憶手段であり、システムコントローラ１１２を通じてデータの読み書きが行われる。画像メモリ１１４は、半導体素子からなるメモリに限らず、ハードディスクなど磁気媒体を用いてもよい。
【０１００】
システムコントローラ１１２は、通信インターフェース１１０、画像メモリ１１４、モータドライバ１１６、ヒータドライバ１１８等の各部を制御する制御部である。システムコントローラ１１２は、中央演算処理装置（ＣＰＵ）及びその周辺回路等から構成され、ホストコンピュータ１３０との間の通信制御、画像メモリ１１４の読み書き制御等を行うとともに、搬送系のモータ１３４やヒータ１３６を制御する制御信号を生成する。
【０１０１】
モータドライバ１１６は、システムコントローラ１１２からの指示に従ってモータ１３４を駆動するドライバ（駆動回路）である。ヒータドライバ１１８は、システムコントローラ１１２からの指示に従って加熱ドラム３４その他各部のヒータ１３６を駆動するドライバである。
【０１０２】
プリント制御部１２０は、システムコントローラ１１２の制御に従い、画像メモリ１１４内の画像データから印字制御用の信号を生成するための各種加工、補正などの処理を行う信号処理機能を有し、生成した印字制御信号（ドットデータ）をヘッドドライバ１２４に供給する制御部である。プリント制御部１２０において所要の信号処理が施され、該画像データに基づいてヘッドドライバ１２４を介して色別のヘッド１２Ｋ，１２Ｍ，１２Ｃ，１２Ｙのインク液滴の吐出量や吐出タイミングの制御が行われる。これにより、所望のドットサイズやドット配置が実現される。
【０１０３】
プリント制御部１２０には画像バッファメモリ１２２が備えられており、プリント制御部１２０における画像データ処理時に画像データやパラメータなどのデータが画像バッファメモリ１２２に一時的に格納される。なお、図１４において画像バッファメモリ１２２はプリント制御部１２０に付随する態様で示されているが、画像メモリ１１４と兼用することも可能である。また、プリント制御部１２０とシステムコントローラ１１２とを統合して１つのプロセッサで構成する態様も可能である。
【０１０４】
ヘッドドライバ１２４はプリント制御部１２０から与えられるドットデータに基づいて各ヘッド１２Ｋ，１２Ｍ，１２Ｃ，１２Ｙの吐出駆動用アクチュエータ５８を駆動する。ヘッドドライバ１２４にはヘッドの駆動条件を一定に保つためのフィードバック制御系を含んでいてもよい。
【０１０５】
印刷すべき画像のデータは、通信インターフェース１１０を介して外部から入力され、画像メモリ１１４に蓄えられる。この段階では、例えば、ＲＧＢの画像データが画像メモリ１１４に記憶される。画像メモリ１１４に蓄えられた画像データは、システムコントローラ１１２を介してプリント制御部１２０に送られ、該プリント制御部１２０において既知のディザ法、誤差拡散法などの手法によりインク色ごとのドットデータに変換される。
【０１０６】
こうして、プリント制御部１２０で生成されたドットデータに基づいてヘッド１２Ｋ，１２Ｍ，１２Ｃ，１２Ｙが駆動制御され、ヘッドからインクが吐出される。記録紙２０の搬送速度に同期してヘッド１２Ｋ，１２Ｍ，１２Ｃ，１２Ｙからのインク吐出を制御することにより、記録紙２０上に画像が形成される。
【０１０７】
メディア検出部１２６は、記録紙２０の紙種やサイズを検出する手段である。例えば、給紙部２２のマガジン３２に付されたバーコード等の情報を読み込む手段、用紙搬送路中の適当な場所に配置されたセンサ（用紙幅検出センサ、用紙の厚みを検出するセンサ、用紙の反射率を検出するセンサなど）が用いられ、これらの適宜の組み合わせも可能である。また、これら自動検出の手段に代えて、若しくはこれと併用して、所定のユーザインターフェースからの入力によって紙種やサイズ等の情報を指定する構成も可能である。
【０１０８】
メディア検出部１２６により取得された情報はシステムコントローラ１１２及び／又はプリント制御部１２０に通知され、インク吐出制御及び予備硬化光源１６Ａ，１６Ｂ，１６Ｃの制御等に利用される。
【０１０９】
光源制御部１２８は、予備硬化光源１６Ａ，１６Ｂ，１６Ｃの点灯（ＯＮ）／消灯（ＯＦＦ）並びに点灯位置、点灯時の発光量等を制御する予備硬化光源制御回路と、本硬化光源１８の点灯（ＯＮ）／消灯（ＯＦＦ）並びに点灯時の発光量等を制御する本硬化光源制御回路と、を含んで構成される。光源制御部１２８は、プリント制御部１２０からの指令に従って各光源（１６Ａ，１６Ｂ，１６Ｃ，１８）の発光を制御する。
【０１１０】
〔予備硬化光源の制御例〕
次に、上記の如く構成された画像形成装置１０における予備硬化光源の発光制御例について説明する。
【０１１１】
図１５は予備硬化光源の制御アルゴリズム例を示したフローチャートである。同図に示すとおり、まず、用紙幅の判定処理を行う（ステップＳ１０）。判定方式には、例えば、記録紙２０の厚み検出等による自動検出やマガジン検出などが用いられる。ステップＳ１０の用紙幅判定の結果に基づき記録紙２０の用紙幅値＝Ａを確定する（ステップＳ１２）。
【０１１２】
続いて、この用紙幅値＝Ａに応じて予備硬化光源による紫外線の照射幅（照射領域）を決定する（ステップＳ１４）。照射幅は所定の係数α（ただし、α＞０）を用いて判定式α×Ａによって求められる。
【０１１３】
ステップＳ１４の判定式の結果に基づき、当該判定式結果に対応した発光素子域（ＬＥＤ素子域）を決定する（ステップＳ１６）。こうして、記録紙２０の紙幅と略同幅のＬＥＤ素子群のみを発光させる。続いて、記録紙２０の紙種判定（メディア種判定）処理を行う（ステップＳ１８）。この判定方式には、例えば、記録紙２０の光学反射率検出等による自動検出、マガジン検出、ユーザインターフェースによるメニュー指定等が用いられる。
【０１１４】
ステップＳ１８のメディア種判定結果に基づき、使用される記録紙２０のメディア種に対応した判定値＝Ｂを確定する（ステップＳ２０）。判定値Ｂは、記録媒体の反射率に応じて確定するとよい。画像形成装置１０は、メディア種と判定値とを対応付けたメディア種テーブルのデータを格納した情報記憶手段（内部メモリ又は外部メモリ）を備えており、このメディア種テーブルを参照して判定値が決定される。
【０１１５】
次いで、１つの発光素子の照射する領域内に着弾される液滴量の判定を行う（ステップＳ２２）。すなわち、この処理では、プリントすべき画像の画像データに基づき、発光対象に係る１つのＬＥＤ素子の照射エリア中の液滴量Ｃを確定する。
【０１１６】
ステップＳ２２で求めた液滴量ＣとステップＳ２０で求めた判定値Ｂ、並びに所定の係数β，γ（ただし、β＞０，γ＞０）、を用いて、発光素子付加エネルギー判定式（β×Ｂ）×（γ×Ｃ）を計算する（ステップＳ２４）。そして、ステップＳ２４の判定式結果に対応した発光素子照射量Ｒを確定する（ステップＳ２６）。
【０１１７】
ステップＳ２２〜Ｓ２６の工程を全発光素子について繰り返すことにより、全ての発光素子について各発光素子の照射量Ｒを決定する（ステップＳ２８）。こうしてステップＳ２８で得られた結果に基づき発光素子群の発光が制御される。なお、各発光素子の照射量制御は、ＯＮ／ＯＦＦ制御、パルス幅制御、パワー制御等により行う。定性的に言えば、打滴箇所に必要十分な範囲で予備硬化用の紫外線照射を行い、記録媒体の反射率が高ければ、発光量を小さくする。
【０１１８】
上記の如く構成された画像形成装置１０によれば、予備硬化光源１６は色間ブリーディングによる画質劣化防止に機能特化するため、インクを本硬化させずに半硬化状態とする程度の紫外線照射を行えば足りる。したがって、予備硬化光源１６は、本硬化に要する照射エネルギーよりも低光量、狭帯域の光源を使用することができる。
【０１１９】
本例のように、予備硬化光源１６として紫外線ＬＥＤ素子７２群やＬＤ素子９７群を使用する構成にすることで、記録媒体幅、打滴インク領域、記録媒体反射率等に応じた発光素子数の制限、発光光量の制限の制御が容易となる。ヘッド近傍に予備硬化光源１６を配置した構成においても、必要最小限の発光を行うように制御することでノズル近傍インク
の硬化を回避することができる。
【０１２０】
特に、予備硬化光源１６として線状の紫外線ＬＥＤ素子７２群を使用し、シリンドリカルレンズ８４等により記録紙２０上に効率的に線状集光させることで、エネルギー密度を高めることができる。また、遮光囲い７０によって周囲への不要な光照射を阻止するとともに、スリット状の開口部７６を通して記録紙２０上の限られた狭い範囲に光を照射するため、ノズル５１への発散反射光が低減されている。更に、図８で説明したとおり、遮光囲い７０の底面に遮光くちばし８６を設けたり、紫外線吸収コーティング８８を設けたりする構成により、ノズル５１への反射光を一層低減することができる。
【０１２１】
このように、ヘッド５０への悪影響を回避する構成により、予備硬化光源１６をヘッド５０に近づけて配置することが可能となり、浸透メディア（インクが記録媒体の内部に浸透することによって定着する媒体）に対して浸透がメディア内部まで達しない状態で予備硬化用の光を照射することができる。
【０１２２】
また、各色ヘッド間に予備硬化部を設けても省スペース化を実現できるとともに、光源の増加の割には省エネルギー化が可能である。
【図面の簡単な説明】
【０１２３】
【図１】本発明の実施形態に係る画像形成装置の概略構成図
【図２】フルライン型インクジェットヘッドの構造例を示す平面透視図
【図３】フルライン型インクジェットヘッドの他の構成例を示す平面透視図
【図４】図２中の４−４線に沿う断面図
【図５】図２に示したヘッドのノズル配列を示す拡大図
【図６】画像形成装置におけるインク供給系の構成を示した概要図
【図７】予備硬化部の構造例を示した模式図
【図８】予備硬化光源の詳細な構造例を示した部分断面図
【図９】図８中の９Ａ矢視断面図
【図１０】予備硬化光源から記録紙上に照射される紫外線の照射エリアの例を示す平面図
【図１１】予備硬化光源１６から出射される紫外線の照射エリアの光量分布例を示した拡大図
【図１２】予備硬化光源に用いられる光源部の他の構成を示す図であり、（ａ）は正面図、（ｂ）は側面図
【図１３】予備硬化光源に用いられる光源部の他の構成を示す図であり、（ａ）は正面図、（ｂ）は側面図
【図１４】本例の画像形成装置のシステム構成を示す要部ブロック図
【図１５】予備硬化光源の制御アルゴリズム例を示したフローチャート
【符号の説明】
【０１２４】
１０…画像形成装置、１２Ｋ，１２Ｃ，１２Ｍ，１２Ｙ…ヘッド、１４…インク貯蔵／装填部、１６，１６Ａ，１６Ｂ，１６Ｃ…予備硬化光源、１８…本硬化光源、２０…記録紙、２２…給紙部、２６…吸着ベルト搬送部、３２…マガジン、５０…ヘッド、５１…ノズル、５２…圧力室、５８…アクチュエータ、７０…遮光囲い、７２…紫外線ＬＥＤ素子
、７４…レンズ系、７６…開口部、８４…シリンドリカルレンズ、１１２…システムコントローラ、１２０…プリント制御部、１２６…メディア検出部、１２８…光源制御部
【図１】
2005280346.tif 000003
【図２】
2005280346.tif 000004
【図３】
2005280346.tif 000005
【図４】
2005280346.tif 000006
【図５】
2005280346.tif 000007
【図６】
2005280346.tif 000008
【図７】
2005280346.tif 000009
【図８】
2005280346.tif 000010
【図９】
2005280346.tif 000011
【図１０】
2005280346.tif 000012
【図１１】
2005280346.tif 000013
【図１２】
2005280346.tif 000014
【図１３】
2005280346.tif 000015
【図１４】
2005280346.tif 000016
【図１５】
2005280346.tif 000017